(57)【要約】【課題】吸込口体に設けられた回転ブラシによって掻きあげられた塵埃を効率よく、確実に接続管の開口に案内して掃除することが可能な電気掃除機の吸込口体および電気掃除機を提案する。【解決手段】被掃除面に対向する底面に吸込口３０を備えた本体ケース２０と、吸込口３０に臨んで本体ケース２０に形成された回転清掃体室２８内に回動可能に設けられ、被掃除面に接地されて被掃除面を清掃する第１回転ブラシ２５と、第１回転ブラシを回転させるモータ３７と、被掃除面と第１回転ブラシ２５とから離間され、第１回転ブラシ２５の回転軸中心よりも被清掃面から離間された回転軸中心を有し、回転清掃体室２８内に回動可能に設けられた第２回転ブラシ２６とを備える。【選択図】  図６
2009160009.tif 000002
【特許請求の範囲】
【請求項１】
被掃除面に対向する底面に吸込口を備えた本体ケースと、
前記吸込口に臨んで前記本体ケースに回動可能に設けられ、前記被掃除面に接地されて被掃除面を清掃する第１回転清掃体と、
前記第１回転清掃体を回転させる駆動部と、
前記被掃除面と前記第１回転清掃体とから離間され、前記第１回転清掃体の回転軸中心よりも被清掃面から離間された回転軸中心を有し、前記本体ケースに回動可能に設けられた第２回転清掃体とを備えたことを特徴とする電気掃除機の吸込口体。
【請求項２】
前記第１回転清掃体と前記第２回転清掃体とを収容し、前記吸込口に連通された回転清掃体室を有し、
前記第２回転清掃体の外周のうち、前記第１回転清掃体に対向する前記第２回転清掃体の外周部は、前記回転清掃体室内の空気の流れの上流から下流に向かって移動することを特徴とする請求項１に記載の電気掃除機の吸込口体。
【請求項３】
前記第１回転清掃体と前記第２回転清掃体とを入れ替えて使用できることを特徴とする請求項２に記載の電気掃除機の吸込口体。
【請求項４】
前記第１回転清掃体と前記第２回転清掃体とは異なる性質の清掃体を備えたことを特徴とする請求項１から３のいずれか１項に記載の電気掃除機の吸込口体。
【請求項５】
前記駆動部によって回転させられた前記第１回転清掃体から駆動力伝達部を介して前記第２回転清掃体を回転させることを特徴とする請求項１から４のいずれか１項に記載の電気掃除機の吸込口体。
【請求項６】
前記本体ケースの形成された開口から吸い込まれた空気によって前記第２回転清掃体を回転させることを特徴とする請求項１から４のいずれか１項に記載の電気掃除機の吸込口体。
【請求項７】
電動送風機を収容した掃除機本体と、
前記電動送風機の吸込側に接続させて連通された請求項１から６のいずれか１項に記載の電気掃除機の吸込口体とを備えることを特徴とする電気掃除機。
【発明の詳細な説明】
【技術分野】
【０００１】
本発明は、本体ケースに回動可能に設けられ被掃除面に接地して被掃除面を清掃する回転清掃体を有する電気掃除機の吸込口体およびこれを備えた電気掃除機に関する。
【背景技術】
【０００２】
特許文献１には、従来の電気掃除機の吸込口体として互いに回転軌道をオーバラップさせた回転ブラシを有する吸込口体が記載されている。
【０００３】
この吸込口体は、横長の本体ケースと、この本体ケースの後部に突設され延長管に接続されて連通される接続管とを備える。本体ケースの下部には、横長の吸込口が形成される。この吸込口には、回転清掃体としての回転ブラシが前側に設けられ、この回転ブラシを掃除する回転体が後側に設けられた回転清掃体室が連通される。前側の回転ブラシは、両端部が本体ケースに回動可能に軸支された略円筒状のブラシ台と、このブラシ台の外周面から突設されたブラシ毛などの清掃部材とを有する。この清掃部材の先端部は被掃除面としての床面に接触される。他方、後側の回転体は、両端部が本体ケースに回動可能に軸支された略円筒状の回転体台と、この回転体台の外周面から突設されたブレード部材とを有する。このブレード部材の先端部は被掃除面としての床面から離間されるとともに、回転ブラシの回転軌道にオーバラップさせて設けられ、回転ブラシの回転方向とは反対方向に回転するよう構成される。
【０００４】
この吸込口体は、回転ブラシの回転によって床面の塵埃を掻き出して吸込口から吸い込むとともに、回転ブラシの清掃部材の先端と回転体のブレード部材の先端とを互いに反対方向に回転させて衝突させることによって、清掃部材の先端部などに絡み付いた糸ごみなどの塵埃を落とすように構成される。
【特許文献１】特開２００７−２５２６４４号公報
【発明の開示】
【発明が解決しようとする課題】
【０００５】
特許文献１に記載の従来の電気掃除機の吸込口体では、本体ケースの後部に突設され延長管に連通される接続管の開口径長さは、横長の本体ケースに設けられた回転ブラシの軸方向長さよりも小さく形成される。したがって、回転ブラシは、接続管の開口に対向する幅領域と、接続管の開口に対向しない幅領域とを有する。すなわち、回転ブラシがその全幅に亘って被清掃面から掻きあげた塵埃は、回転ブラシに対向する接続管の開口に直接的に案内される塵埃と、回転清掃体室内に作用する負圧によって回転清掃体室の幅方向に沿って吸い込まれて接続管の開口に案内される塵埃とに分けられる。しかし、回転ブラシに掻きあげられた塵埃は、回転ブラシによって掻きあげられる際に付与される慣性力と回転清掃体室内に作用する負圧による吸込力との差によっては、接続管の開口に確実に案内されず、回転清掃体室の内壁に付着して滞留する恐れがある。この塵埃の滞留は、負圧の作用が弱くなる回転清掃体室内の幅方向の両端部付近で顕著である。
【０００６】
また、例えば吸込口体が移動するとき、吸込口体に対して前進駆動力を作用させる方向に回転ブラシが回転する場合には、回転体は回転ブラシの反対方向に回転されるため、回転体によって回転ブラシに付着した塵埃が掻きとられると、掻きとられた塵埃は吸込口体の前方向へ慣性力を付与される。したがって、回転体によって回転ブラシから掻きとられた塵埃は、接続管の開口とは反対の方向へ慣性力を付与される。すなわち、回転体によって回転ブラシから掻きとられた塵埃は、回転体によって掻きとられる際に付与される慣性力と回転清掃体室内に作用する負圧による吸込力との差によっては、接続管の開口に確実に案内されず、回転清掃体室の内壁に付着して滞留する恐れがある。この塵埃の滞留は、回転ブラシの全幅に亘って生じる。
【０００７】
本発明は、吸込口体に設けられた回転ブラシによって掻きあげられた塵埃を効率よく、確実に接続管の開口に案内して掃除することが可能な電気掃除機の吸込口体および電気掃除機を提案する。
【課題を解決するための手段】
【０００８】
前記の課題を解決するため本発明では、被掃除面に対向する底面に吸込口を備えた本体ケースと、前記吸込口に臨んで前記本体ケースに回動可能に設けられ、前記被掃除面に接地されて被掃除面を清掃する第１回転清掃体と、前記第１回転清掃体を回転させる駆動部と、前記被掃除面と前記第１回転清掃体とから離間され、前記第１回転清掃体の回転軸中心よりも被清掃面から離間された回転軸中心を有し、前記本体ケースに回動可能に設けられた第２回転清掃体とを備えたことを特徴とする。
【発明の効果】
【０００９】
本発明によれば、吸込口体に設けられた回転ブラシによって掻きあげられた塵埃を効率よく、確実に接続管の開口に案内して掃除することが可能な電気掃除機の吸込口体および電気掃除機を提供することができる。
【発明を実施するための最良の形態】
【００１０】
本発明に係る電気掃除機の吸込口体および電気掃除機の実施形態について添付図面を参照して説明する。
【００１１】
［第１の実施形態］
本発明に係る電気掃除機の吸込口体および電気掃除機の第１実施形態について、図１から図８を参照して説明する。
【００１２】
図１は、本発明の第１実施形態に係る電気掃除機の外観を示した図である。
【００１３】
図１に示すように、電気掃除機１は、掃除機本体２と、集塵ホース３と、手元操作管４と、延長管５と、吸込口体６とを備える。
【００１４】
掃除機本体２は、その内部に電動送風機７を備える。電動送風機７は、商用電源を供給するコンセント（図示省略）に接続された電源コード８によって給電される。電動送風機７の前方には、掃除機本体２に形成された集塵室１０内に集塵袋１１が設けられる。掃除機本体２の前部には接続口２ａが穿設されており、掃除機本体２の外側と集塵室１０とを連通可能としている。集塵袋１１は、掃除機本体２の上面に開閉可能に設けられた蓋体１３によって集塵室１０内に着脱可能に収容される。また、集塵袋１１は、電動送風機７の駆動によって作用する負圧によって吸込口体６から延長管５と手元操作管４と集塵ホース３とを介して吸込まれた空気から塵埃を分離する。
【００１５】
集塵ホース３は、管状に形成され、可撓性を有し、下流側端部が接続口２ａに着脱可能に接続される。集塵ホース３の上流側端部には、手元操作管４の下流側端部が一体的に形成される。手元操作管４は、上流側端部が延長管５の下流側端部と着脱可能に接続される。手元操作管４の下流側端部付近には、集塵ホース３に接続される部分とは別に、手元操作管４から枝状に分けられて形成された握り部１５を有する。
【００１６】
握り部１５は、使用者が掃除の際に把持して延長管５や吸込口体６を操作する部分である。握り部１５の基端側は、手元操作管４と一体的に設けられ、手元操作管４の下流方向に延設される。握り部１５の上面部には、掃除機本体２の電動送風機７などの駆動状態を所定の状態に設定する複数の設定ボタン１５ａが設けられる。
【００１７】
延長管５の上流側端部には、吸込口体６が着脱可能に接続される。延長管５の下流側端部には、前記集塵ホース３が着脱可能に接続される。
【００１８】
電力が供給された電気掃除機１は、手元操作管４の設定ボタン１５ａが使用者によって設定されると、掃除機本体２に収容された電動送風機７を駆動させて掃除機本体２内に吸込負圧を発生させる。この吸込負圧によって吸込口体６の底面に形成された吸込口（図示省略）から塵埃を含んだ空気が吸い込まれ、吸込口体６から延長管５、手元操作管４、集塵ホース３を介して、掃除機本体２の集塵室１０内の集塵袋１１に塵埃が集塵される。
【００１９】
図２は、本発明の第１実施形態に係る電気掃除機の吸込口体を示した平面図である。
【００２０】
図２に示すように、吸込口体６は、横長の本体ケース２０と、接続管２１とから構成される。接続管２１には、延長管５が着脱可能に接続される。
【００２１】
なお、説明を容易にするために以下、図２に示す姿勢を基本姿勢とし、吸込口体６に延長管５が接続される接続管２１を後部、これに対向する側を前部とし、さらに前部から後部を見た状態で上下および左右の方向説明を行う。
【００２２】
本体ケース２０の上面は、後部に設けられた上ケース２２と、前部に着脱自在に設けられた上蓋体２３とから構成される。
【００２３】
図３は、本発明の第１実施形態に係る電気掃除機の吸込口体を示した斜視図である。
【００２４】
また、図３は、吸込口体６の本体ケース２０の上前部を着脱自在に覆う上蓋体２３が取り外された状態が示された図である。
【００２５】
図３に示すように、本体ケース２０は、上側が開放された下ケース２４と、下ケース２４の上後部に設けられた上ケース２２と、下ケース２４の上前部に着脱自在に設けられた上蓋体２３とを備える。
【００２６】
本体ケース２０の上蓋体２３に覆われる前部には、第１の回転清掃体としての第１回転ブラシ２５と、第２の回転清掃体としての第２回転ブラシ２６とが収容される回転清掃体室２８が形成される。第１回転ブラシ２５と第２回転ブラシ２６との回転軸は、吸込口体６の幅方向に向けられて構成される。
【００２７】
第１回転ブラシ２５は、回転清掃体室２８の前下側に偏位させて軸支される。第２回転ブラシ２６は、回転清掃体室２８の後上側に偏位させて軸支される。すなわち、第２回転ブラシ２６の回転軸中心は、第１回転ブラシ２５の回転軸中心よりも床面などの被清掃面から離間させて設けられる。第１回転ブラシ２５と第２回転ブラシ２６とは、上蓋体２３を取り外すと外部に露出する。
【００２８】
回転清掃体室２８は、下ケース２４の下面に形成された吸込口３０に連通される。また、回転清掃体室２８は、本体ケース２０の後部に設けられた接続管２１に連通される。本体ケース２０内に回転清掃体室２８を区画する壁部は、下ケース２４の吸込口３０の縁部に沿って上方に突出させて形成され、平断面視で吸込口体６の幅方向に長辺を有する略長方形の下壁部３２と、下壁部３２に対応させて上蓋体２３内に下方に突出させて形成された上壁部（図示省略）とが組み合わされて構成される。
【００２９】
吸込口３０は、本体ケース２０の幅方向に沿って長辺を有する横長矩形状に形成され、本体ケース２０の走行方向の前側に偏位した位置に設けられる。
【００３０】
本体ケース２０の側部には、第１回転ブラシ２５と第２回転ブラシ２６とを回動可能に軸支する軸受け３３が収容される軸支室３４、３５が形成される。軸支室３４、３５は、上蓋体２３と下ケース２４との外壁と回転清掃体室２８の壁部とで区画されて形成される。
【００３１】
下ケース２４の下壁部３２のうち吸込口体６の前後方向へ延設された右区画リブ３２ａと、左区画リブ３２ｂとには、回転清掃体室２８と軸支室３４、３５とが連通され、第１回転ブラシ２５と第２回転ブラシ２６との軸部が挿通される切り欠き３２ｃ、３２ｄが形成される。
【００３２】
右区画リブ３２ａの後端には、下壁部３２のうち吸込口体６の幅方向へ延設された右後区画リブ３２ｅの一端が一体的に形成される。右後区画リブ３２ｅの他端は、接続管２１の接続開口２１ａに接続される。
【００３３】
左区画リブ３２ｂの後端には、下壁部３２のうち吸込口体６の幅方向へ延設された左後区画リブ３２ｆの一端が一体的に形成される。左後区画リブ３２ｆの他端は、接続管２１の接続開口２１ａに接続される。
【００３４】
軸支室３４は、上ケース２２と下ケース２４とで形成され、第１回転ブラシ２５を駆動させるモータ３７が収容された駆動部室３８に連通される。
【００３５】
モータ３７は、その回転軸にモータ軸プーリ（図示省略）が設けられる。第１回転ブラシ２５の軸部に形成された第１の従動体である回転ブラシプーリ４０とモータ軸プーリとにベルト４１が巻き掛けられて駆動力が伝達される。モータ３７と回転ブラシプーリ４０とから第１回転ブラシ２５の駆動部が構成される。
【００３６】
第１回転ブラシ２５に伝達された駆動力は、第１回転ブラシ２５に設けられた第２の従動体である回転ブラシプーリ４２と、第２回転ブラシ２６に設けられた第３の従動体である回転ブラシプーリ４４とにベルト４３が巻き掛けられて伝達される。本実施形態に係る吸込口体６では、第１回転ブラシ２５に設けられた回転ブラシプーリ４２と、第２回転ブラシ２６に設けられた回転ブラシプーリ４４とは回転清掃体室２８内に位置する軸部に設けられるが、それぞれの回転ブラシプーリ４２、４４を軸支室３４または軸支室３５に収容される軸部に構成することでも良い。回転ブラシプーリ４２と、ベルト４３と、回転ブラシプーリ４４とから駆動力伝達部が構成される。
【００３７】
回転清掃体室２８に回動可能に設けられた第１回転ブラシ２５は、軸部材としての略細長円柱状の回転ブラシ軸体４６と、回転ブラシ軸体４６の外周面に螺旋状に取り付けられた清掃部材としての複数、例えば２つのブラシ部４７と、回転ブラシ軸体４６の外周面に螺旋状に取り付けられた清掃部材としての複数、例えば２つのブレード部４８とを有する。
【００３８】
ブラシ部４７は、例えば合成樹脂などで形成されたブラシ毛を複数本ずつ束ねて植毛することによって形成され、回転ブラシ軸体４６の外周面から回転ブラシ軸体４６の軸方向に沿って螺旋状に、かつ、回転ブラシ軸体４６の径方向に向けて壁状に突出している。
【００３９】
ブレード部４８は、例えば弾性を有する軟質の合成樹脂などにより形成され、先端部に向けて肉厚となるように形成され、回転ブラシ軸体４６の外周面から回転ブラシ軸体４６の軸方向に沿って螺旋状に、かつ、回転ブラシ軸体４６の径方向に向けて壁状に突出される。
【００４０】
回転清掃体室２８に回動可能に設けられた第２回転ブラシ２６は、軸部材としての略細長円柱状の回転ブラシ軸体４６と、回転ブラシ軸体４６の外周面に螺旋状に取り付けられた清掃部材としての複数、例えば４つのブラシ部４９とを有する。
【００４１】
ブラシ部４９は、例えば合成樹脂などで形成されたブラシ毛を複数本ずつ束ねて植毛することにより形成され、回転ブラシ軸体４６の外周面から回転ブラシ軸体４６の軸方向に沿って螺旋状に、かつ、回転ブラシ軸体４６の径方向に向けて壁状に突出される。
【００４２】
すなわち、第１回転ブラシ２５と第２回転ブラシ２６とは、それぞれ性質の異なる清掃体を有する回転清掃体である。
【００４３】
第１回転ブラシ２５と第２回転ブラシ２６との回転ブラシ軸体４６の両端部には、軸支室３４、３５に着脱可能に収容された円筒状の軸受け３３が嵌着される。軸受３３は、回転ブラシ軸体４６を回動可能に軸支する。
【００４４】
図４は、本発明の第１実施形態に係る電気掃除機の吸込口体を示した平断面図である。
【００４５】
図４に示すように、吸込口体６の本体ケース２０内には、下ケース２４の下面に開口された吸込口３０の縁部に沿って形成され、第１回転ブラシ２５と第２回転ブラシ２６とが収容される回転清掃体室２８と、回転清掃体室２８の右側方に形成され、第１回転ブラシ２５と第２回転ブラシ２６との一端が軸支される軸支室３４と、回転清掃体室２８の左側方に形成され、第１回転ブラシ２５と第２回転ブラシ２６との他端が軸支される軸支室３５と、第１回転ブラシ２５の駆動力を生じるモータ３７が収容された駆動部室３８と、モータ３７の駆動を制御する制御部５２が収容された制御部室５３とが設けられる。
【００４６】
本体ケース２０の後部中央には、接続管２１が上下に回動可能に、かつ吸込口体６の前後方向の中央軸周りに回動可能に軸支される。
【００４７】
第１回転ブラシ２５は、吸込口３０を臨み、回転清掃体室２８の前下側に偏位させて軸支される。第２回転ブラシ２６は、回転清掃体室２８の後上側に偏位させて軸支される。
【００４８】
回転清掃体室２８は、本体ケース２０の後部中央域に設けられた接続管２１に連通される。
【００４９】
軸支室３４は、第１回転ブラシ２５を駆動させるモータ３７が収容された駆動部室３８に連通される。モータ３７の回転軸に設けられたモータ軸プーリ５１と、第１回転ブラシ２５に設けられた回転ブラシプーリ４０とにベルト４１が巻き掛けられ、ベルト４１によってモータ３７の駆動力が第１回転ブラシ２５に伝達される。
【００５０】
駆動部室３８は、回転清掃体室２８の右後方に配設される。制御部室５３は、回転清掃体室２８の左後方に配設される。すなわち、回転清掃体室２８の後方には、中央部に接続管２１が接続され、右部には駆動部室３８が形成され、左部には制御部室５３が形成されて並設される。
【００５１】
図５は、本発明の第１実施形態に係る電気掃除機の吸込口体を示した縦断面図である。
【００５２】
また、図５は、吸込口体の幅方向の略中央位置における縦断面図である。
【００５３】
図５に示すように、吸込口体６の本体ケース２０は、上側が開放された下ケース２４と、下ケース２４の上後部に設けられた上ケース２２と、下ケース２４の上前部に着脱自在に設けられた上蓋体２３とを備える。
【００５４】
本体ケース２０の前部には、第１の回転清掃体としての第１回転ブラシ２５と、第２の回転清掃体としての第２回転ブラシ２６とが収容される回転清掃体室２８が形成される。
【００５５】
第１回転ブラシ２５は、回転清掃体室２８の前下側に偏位させて軸支される。また、第１回転ブラシ２５は、吸込口体６を接地させた状態で先端部が床面に接触せず、カーペットなどの起毛状の床面を掃除するのに適している。第１回転ブラシ２５が回転すると、ブレード部４８によって床面の起毛から塵埃が叩き出され、ブラシ部４７によって叩き出された塵埃が吸込口３０から回転清掃体室２８内へ掻き入れられる。
【００５６】
第２回転ブラシ２６は、回転清掃体室２８の後上側に偏位させて軸支される。第１回転ブラシ２５と第２回転ブラシ２６とは離間され、各々の外周が相互に干渉しあわないように設けられる。
【００５７】
回転清掃体室２８に連通される接続管２１には、清掃面である床面から第２回転ブラシ２６の回転ブラシ軸体４６の中心までの高さＨ１よりも高い位置Ｈ２まで接続開口５５が形成される。
【００５８】
図６および図７は、本発明の第１実施形態に係る電気掃除機の吸込口体を示した縦断面図である。
【００５９】
また、図６および図７は、吸込口体の幅方向の略右端近傍位置における縦断面図である。なお、図６および図７では、回転清掃体室２８の右端部に位置する右区画リブ３２ａを省略して示している。
【００６０】
図６および図７に示すように、吸込口体６は、回転清掃体室２８に収容された第１回転ブラシ２５と第２回転ブラシ２６との位置を交換して収容することが可能である。
【００６１】
第１回転ブラシ２５に設けられた回転ブラシプーリ４０と、第２回転ブラシ２６に設けられた回転ブラシプーリ４０Ａとは略同径に形成される。したがって、モータ３７に設けられたモータ軸プーリ５１と回転ブラシプーリ４０との間に掛けられたベルト４１は、モータ軸プーリ５１と回転ブラシプーリ４０Ａとの間にも巻き掛けられる。
【００６２】
モータ３７の回転軸は、実線矢ωの方向へ回転する。すなわち、モータ３７に設けられたモータ軸プーリ５１と第１回転ブラシ２５に設けられた回転ブラシプーリ４０との間に掛けられたベルト４１によって、第１回転ブラシ２５は吸込口体６を前進させる方向に回転する。そうすると、第１回転ブラシ２５に設けられた回転ブラシプーリ４２と、第２回転ブラシ２６に設けられた回転ブラシプーリ４４との間に掛けられたベルト４３によって、第２回転ブラシ２６は第１回転ブラシ２５と同じ方向へ回転する。すなわち、モータ３７の回転軸と、第１回転ブラシ２５と、第２回転ブラシ２６とは、実線矢ωの方向へ回転する。
【００６３】
また、図７に示すように、第２回転ブラシ２６は、回転清掃体室２８の前下側に偏位させて軸支されると、吸込口体６を接地させた状態で第２回転ブラシ２６の先端部が床面に接触し、フローリングなどの平坦な床面を掃除するのに適している。第２回転ブラシ２６が回転すると、ブラシ部４９によって床面から塵埃が掻きあげられ、掻きあげられた塵埃が吸込口３０から回転清掃体室２８内へ掻き入れられる。
【００６４】
第１回転ブラシ２５は、回転清掃体室２８の後上側に偏位させて軸支される。第１回転ブラシ２５と第２回転ブラシ２６とは離間され、各々の外周が相互に干渉しあわないように設けられる。
【００６５】
図８は、本発明の第１実施形態に係る電気掃除機の吸込口体を示した縦断面図である。
【００６６】
また、図８は、吸込口体の幅方向の略右端近傍位置における縦断面図である。なお、図８では、回転清掃体室２８の右端部に位置する右区画リブ３２ａを省略して示している。
【００６７】
図８に示すように、吸込口体６は、第１回転ブラシ２５Ａと第２回転ブラシ２６Ａとに同じ構成の回転清掃体を用いて構成することもできる。
【００６８】
第１回転ブラシ２５Ａと第２回転ブラシ２６Ａとは、軸部材としての略細長円柱状の回転ブラシ軸体４６と、回転ブラシ軸体４６の外周面に螺旋状に取り付けられた清掃部材としての複数、例えば２つのブラシ部４７Ａと、回転ブラシ軸体４６の外周面に螺旋状に取り付けられた清掃部材としての複数、例えば２つのブレード部４８Ａとを有する。
【００６９】
第１回転ブラシ２５Ａは、回転清掃体室２８の後上側に偏位させて軸支される。第１回転ブラシ２５Ａと第２回転ブラシ２６Ａとは離間され、各々の外周が相互に干渉しあわないように設けられる。
【００７０】
ブラシ部４７Ａは、例えば合成樹脂などで形成されたブラシ毛を複数本ずつ束ねて植毛することにより形成され、回転ブラシ軸体４６の外周面から回転ブラシ軸体４６の軸方向に沿って螺旋状に、かつ、回転ブラシ軸体４６の径方向に向けて壁状に突出される。
【００７１】
ブレード部４８Ａは、例えば弾性を有する軟質の合成樹脂などにより形成され、先端部に向けて肉厚となるように形成され、回転ブラシ軸体４６の外周面から回転ブラシ軸体４６の軸方向に沿って螺旋状に、かつ、回転ブラシ軸体４６の径方向に向けて壁状に突出される。また、ブレード部４８Ａは、ブラシ部４７Ａよりも回転ブラシ軸体４６の径方向に向けて突出される。
【００７２】
第１回転ブラシ２５Ａは、吸込口体６を接地させた状態でブレード部４８Ａの先端部が床面に接触せず、ブラシ部４７Ａの先端部が床面に接触する。
【００７３】
第１回転ブラシ２５Ａでカーペットなどの起毛状の床面を掃除するときは、第１回転ブラシ２５Ａが回転すると、ブレード部４８Ａによって床面の起毛から塵埃が叩き出され、ブラシ部４７Ａによって叩き出された塵埃が吸込口３０から回転清掃体室２８内へ掻き入れられる。
【００７４】
他方、第１回転ブラシ２５Ａでフローリングなどの平坦な床面を掃除するときは、第１回転ブラシ２５Ａが回転すると、ブラシ部４７Ａによって床面から塵埃が掻きあげられ、掻きあげられた塵埃が吸込口３０から回転清掃体室２８内へ掻き入れられる。
【００７５】
次に、本実施形態に係る電気掃除機１の吸込口体６および電気掃除機１の掃除動作を説明する。
【００７６】
先ず、電気掃除機１の使用者は、掃除機本体２の接続口２ａに集塵ホース３を接続し、集塵ホース３に延長管５を接続し、延長管５に吸込口体６を接続する。
【００７７】
次に、掃除機本体２から電源コード８を引き出して商用電源を供給するコンセントに接続する。
【００７８】
次に、握り部１５を把持して設定ボタン１５ａを操作する。そうすると、設定ボタン１５ａによって設定された動作モードに応じて電動送風機７が所定の動作モードで駆動される。
【００７９】
次に、電気掃除機１の使用者は、握り部１５を把持して床面などの被掃除面上で吸込口体６を前後に走行させて被掃除面の塵埃を掃除機本体２に吸い込む。
【００８０】
このとき、吸込口体６の回転清掃体室２８に設けられた第１回転ブラシ２５と第２回転ブラシ２６とは、図６、図７および図８に示された実線矢ωの方向へ回転する。ここで、第１回転ブラシ２５および第２回転ブラシ２６が、図６、図７および図８に示された実線矢ωの方向に回転する場合を順方向の回転と呼び、実線矢ωの方向の反対に回転する場合を逆方向の回転と呼ぶ。第２回転ブラシ２６が順方向に回転すると、第２回転ブラシ２６の外周のうち第１回転ブラシ２５に対向する外周部は、回転清掃体室２８の前方から後方に向かって移動し、第１回転ブラシ２５の外周から接続管２１の接続開口２１ａに近づくこととなり、回転清掃体室２８内に作用する負圧による空気の流れの上流から下流に向かって移動する。
【００８１】
すなわち、図６に示すように、第１回転ブラシ２５は、ベルト４１によってモータ３７から駆動力が伝達され、吸込口体６を前進させる方向に回転し、床面などの被掃除面上の塵埃をブラシ部４７およびブレード部４８によって掻き取る。
【００８２】
このとき、第２回転ブラシ２６は、第１回転ブラシ２５の回転ブラシプーリ４２と第２回転ブラシ２６の回転ブラシプーリ４４に巻き掛けられたベルト４３によって、第１回転ブラシ２５と同じ方向である実線矢ωの方向に回転する。
【００８３】
第１回転ブラシ２５の回転によって床面から掻きあげられた塵埃は、接続管２１を介して作用する吸込負圧によって回転清掃体室２８に空気とともに案内される。第１回転ブラシ２５の回転によって被掃除面から掻きあげられた塵埃は、第２回転ブラシ２６のブラシ部４９に衝突して吸込口体６の後方へ案内される。したがって、第１回転ブラシ２５の回転によって被掃除面から掻きあげられた塵埃は、第２回転ブラシ２６によって回転清掃体室２８の後方へ向かって送り込まれ、回転清掃体室２８から接続管２１の接続開口２１ａへ向かって吸い込まれる空気の流れに逆らうことなく、効率よく接続管２１に吸い込まれる。
【００８４】
また、図７に示すように、回転清掃体室２８に第１回転ブラシ２５と第２回転ブラシ２６との位置を交換して収容すると、第２回転ブラシ２６は、ベルト４１によってモータ３７から駆動力が伝達され、吸込口体６を前進させる方向に回転し、床面などの被掃除面上の塵埃をブラシ部４９によって掻き取る。
【００８５】
このとき、第１回転ブラシ２５は、第２回転ブラシ２６の回転ブラシプーリ４４と第１回転ブラシ２５の回転ブラシプーリ４２に巻き掛けられたベルト４３によって、第２回転ブラシ２６と同じ方向である実線矢ωの方向に回転する。
【００８６】
第２回転ブラシ２６の回転によって床面から掻きあげられた塵埃は、接続管２１を介して作用する吸込負圧によって回転清掃体室２８に空気とともに案内される。第２回転ブラシ２６の回転によって被掃除面から掻きあげられた塵埃は、第１回転ブラシ２５のブラシ部４７またはブレード部４８に衝突して吸込口体６の後方へ案内される。したがって、第２回転ブラシ２６の回転によって被掃除面から掻きあげられた塵埃は、第１回転ブラシ２５によって回転清掃体室２８の後方へ向かって送り込まれ、回転清掃体室２８から接続管２１の接続開口２１ａへ向かって吸い込まれる空気の流れに逆らうことなく、効率よく接続管２１に吸い込まれる。
【００８７】
さらに、図８に示すように、第１回転ブラシ２５Ａと第２回転ブラシ２６Ａとに同じ構成の回転清掃体を用いて回転清掃体室２８に収容すると、第１回転ブラシ２５Ａは、ベルト４１によってモータ３７から駆動力が伝達され、吸込口体６を前進させる方向に回転し、床面などの被掃除面上の塵埃をブラシ部４７Ａおよびブレード部４８Ａによって掻き取る。
【００８８】
このとき、第２回転ブラシ２６Ａは、第１回転ブラシ２５Ａの回転ブラシプーリ４２と第２回転ブラシ２６Ａの回転ブラシプーリ４４に巻き掛けられたベルト４３によって、第１回転ブラシ２５Ａと同じ方向である実線矢ωの方向に回転する。
【００８９】
第１回転ブラシ２５Ａの回転によって床面から掻きあげられた塵埃は、接続管２１を介して作用する吸込負圧によって回転清掃体室２８に空気とともに案内される。第１回転ブラシ２５Ａの回転によって被掃除面から掻きあげられた塵埃は、第２回転ブラシ２６Ａのブラシ部４７Ａに衝突して吸込口体６の後方へ案内される。したがって、第１回転ブラシ２５Ａの回転によって被掃除面から掻きあげられた塵埃は、第２回転ブラシ２６Ａによって回転清掃体室２８の後方へ向かって送り込まれ、回転清掃体室２８から接続管２１の接続開口２１ａへ向かって吸い込まれる空気の流れに逆らうことなく、効率よく接続管２１に吸い込まれる。
【００９０】
接続管２１に吸い込まれた塵埃は、吸込口体６から延長管５および集塵ホース３を順次に通過して、掃除機本体２の接続口２ａへと導かれ、掃除機本体２内に収容された集塵袋１１に捕集される。
【００９１】
塵埃が捕集された空気は、電動送風機７に吸気されて排気風となり、掃除機本体２の排気口（図示省略）から外部に排気される。
【００９２】
本実施形態に係る電気掃除機１の吸込口体６によれば、第２回転ブラシ２６、２６Ａは、床面などの被掃除面に接地することなく、また第１回転ブラシ２５、２５Ａにも衝突しないので、第１回転ブラシ２５、２５Ａの回転によって被掃除面から掻きあげられた塵埃を、効率よく確実に接続管２１へ案内し、回転清掃体室２８内に塵埃を滞留させることなく掃除することができる。
【００９３】
すなわち、床面に接地する回転ブラシの回転軌道にオーバラップさせた回転体を有する従来の吸込口体では、回転ブラシに付着していた塵埃や吸込口から吸い込まれた塵埃が回転体によって回転清掃体室の吸い込み負圧の十分作用しない領域で滞留する恐れがあるのに対して、本実施形態に係る吸込口体では、第１回転ブラシ２５、２５Ａの回転によって被掃除面から掻きあげられた塵埃を、効率よく確実に接続管２１へ案内し、回転清掃体室２８内に塵埃を滞留させることなく掃除することができる。
【００９４】
また、第１回転ブラシ２５、２５Ａと第２回転ブラシ２６、２６Ａとは、入れ替えて使用することができるので、第２回転ブラシ２６、２６Ａとして使用される回転清掃体には、電気掃除機１の使用時は吸い込み負圧と回転力が作用するので、使用によってブラシ部４７、４７Ａ、ブラシ部４９に絡みついた糸くずなどの塵埃が除去されて清掃される。したがって、第１回転ブラシ２５、２５Ａと第２回転ブラシ２６、２６Ａとを個別に掃除する必要がない。特に、第１回転ブラシ２５、２５Ａと第２回転ブラシ２６、２６Ａとの回転ブラシプーリ４２、４４を第１回転ブラシ２５、２５Ａと第２回転ブラシ２６、２６Ａとの他端側にも設けることによって、第１回転ブラシ２５、２５Ａと第２回転ブラシ２６、２６Ａとを入れ替える際に、回転軸の方向を反転させて取り付けることが可能となり糸くずなどの塵埃が除去される効果がより顕著になる。
【００９５】
さらに、第１回転ブラシ２５、２５Ａと第２回転ブラシ２６、２６Ａとを共通のモータ３７で回転させるので、それぞれの回転清掃体に別個の駆動部を設ける必要がなく吸込口体６の構成を簡略化できる。
【００９６】
なお、本実施形態に係るモータ３７を用いた回転清掃体の駆動部は、例えばエアタービンなどの駆動原を用いることができる。
【００９７】
また、電気掃除機１としては、キャニスタ型の電気掃除機１に限らず、吸込口体６が掃除機本体２の下面に直接形成されたアップライト型、あるいは、ハンディ型などの電気掃除機であっても対応させて用いることができる。
【００９８】
［第２の実施形態］
本発明に係る電気掃除機の吸込口体および電気掃除機の第２実施形態について、図９を参照して説明する。
【００９９】
図９は、本発明の第２実施形態に係る電気掃除機の吸込口体を示した縦断面図である。
【０１００】
また、図９は、吸込口体の幅方向の略右端近傍位置における縦断面図である。なお、図９では、回転清掃体室２８の右端部に位置する右区画リブ３２ａを省略して示している。
【０１０１】
この電気掃除機１Ａにおいて第１実施形態の電気掃除機１と同じ構成には同一の符号を付し、重複する説明は省略する。
【０１０２】
図９に示すように、吸込口体６Ａの本体ケース２０Ａは、上側が開放された下ケース２４と、下ケース２４の上後部に設けられた上ケース２２と、下ケース２４の上前部に着脱自在に設けられた上蓋体２３Ａとを備える。
【０１０３】
本体ケース２０Ａの前部には、第１の回転清掃体としての第１回転ブラシ２５と、第２の回転清掃体としての第２回転ブラシ２６とが収容される回転清掃体室２８が形成される。
【０１０４】
本体ケース２０Ａの後部には、上ケース２２と下ケース２４とで形成され、第１回転ブラシ２５を駆動させるモータ３７が収容された駆動部室３８が形成される。
【０１０５】
モータ３７は、その回転軸にモータ軸プーリ５１が設けられ、第１回転ブラシ２５の軸部に形成された第１の従動体である回転ブラシプーリ４０とモータ軸プーリ５１とにベルト４１が巻き掛けられて駆動力が伝達される。
【０１０６】
上蓋体２３Ａには、回転清掃体室２８の壁部を構成する上壁部５５が突設される。上壁部５５と上蓋体２３Ａの外壁５６との縁部には、回転清掃体室２８に連通され、本体ケース２０Ａの幅方向に長辺を有するスリット状の開口５７が形成される。開口５７は、平面視で上蓋体２３Ａに投影される第２回転ブラシ２６の外周の縁よりも本体ケース２０Ａの前側へ偏位させて形成され、望ましくは開口５７から吸い込まれる空気の流れ方向が第２回転ブラシ２６に設けられたブラシ部４９に交差するよう形成される。なお、第１回転ブラシ２５と第２回転ブラシ２６とを切り替えて使用する場合にもブラシ部４７とブレード部４８とに開口５７から吸い込まれる空気の流れ方向が交差するよう形成することが望ましい。
【０１０７】
下ケース２４には、吸込口体６Ａの前後の走行方向を検出する方向検出部（図示省略）が設けられる。方向検出部は、例えばロータリエンコーダなどであり、制御部５２に電気的に接続され、吸込口体６Ａを床面などの被掃除面に配設させた状態で吸込口体６Ａの走行方向を検出して制御部５２に出力する。制御部５２は、方向検出部によって検出された吸込口体６Ａの走行方向によって第１回転ブラシ２５の回転方向を所望に切り替える。
【０１０８】
次に、本実施形態に係る電気掃除機１Ａの吸込口体６Ａおよび電気掃除機１Ａの掃除動作を説明する。
【０１０９】
先ず、電気掃除機１Ａの使用者は、掃除機本体２の接続口２ａに集塵ホース３を接続し、集塵ホース３に延長管５を接続し、延長管５に吸込口体６Ａを接続する。
【０１１０】
次に、掃除機本体２から電源コード８を引き出して商用電源を供給するコンセントに接続する。
【０１１１】
次に、握り部１５を把持して設定ボタン１５ａを操作する。そうすると、設定ボタン１５ａによって設定された動作モードに応じて電動送風機７が所定の動作モードで駆動される。
【０１１２】
次に、電気掃除機１Ａの使用者は、握り部１５を把持して床面などの被掃除面上で吸込口体６Ａを前後に走行させて被掃除面の塵埃を掃除機本体２に吸い込む。
【０１１３】
このとき、制御部５２は、方向検出部で検出された吸込口体６Ａの走行方向によってモータ３７の回転方向を決定する。たとえば、吸込口体６Ａが前進するときは、吸込口体６Ａを前進させる方向に第１回転ブラシ２５を回転させ、吸込口体６Ａが後進するときは、吸込口体６Ａを後進させる方向に第１回転ブラシ２５を回転させる。
【０１１４】
すなわち、図９に示すように、吸込口体６Ａが前進するときは、第１回転ブラシ２５にはモータ３７からベルト４１によって駆動力が伝達され、吸込口体６Ａを前進させる方向である図９に示した実線矢ωの方向に回転し、床面などの被掃除面上の塵埃をブラシ部４７およびブレード部４８によって掻き取る。
【０１１５】
このとき、第２回転ブラシ２６は、上蓋体２３Ａに形成された開口５７から吸い込まれる空気によって、第１回転ブラシ２５と同じ方向である実線矢ωの方向に回転する。
【０１１６】
第１回転ブラシ２５の回転によって床面から掻きあげられた塵埃は、接続管２１を介して作用する吸込負圧によって回転清掃体室２８に空気とともに案内される。第１回転ブラシ２５の回転によって被掃除面から掻きあげられた塵埃は、第２回転ブラシ２６のブラシ部４９に衝突して吸込口体６Ａの後方へ案内される。したがって、第１回転ブラシ２５の回転によって被掃除面から掻きあげられた塵埃は、第２回転ブラシ２６によって回転清掃体室２８の後方へ向かって送り込まれ、回転清掃体室２８から接続管２１の接続開口２１ａへ向かって吸い込まれる空気の流れに逆らうことなく、効率よく接続管２１に吸い込まれる。
【０１１７】
他方、吸込口体６Ａが後進するときは、第１回転ブラシ２５にはモータ３７からベルト４１によって駆動力が伝達され、吸込口体６Ａを後進させる方向である図９に示した実線矢ωの反対方向に回転し、床面などの被掃除面上の塵埃をブラシ部４７およびブレード部４８によって掻き取る。
【０１１８】
このとき、第１回転ブラシ２５の回転によって床面から掻きあげられた塵埃は、吸込口体６Ａの前方向へ慣性力を付与されて回転清掃体室２８に空気とともに案内される。
【０１１９】
ここで、第２回転ブラシ２６は、上蓋体２３Ａに形成された開口５７から吸い込まれる空気によって、第１回転ブラシ２５の回転方向とは反対方向である図９に示した実線矢ωの方向に回転する。
【０１２０】
第１回転ブラシ２５の回転によって被掃除面から掻きあげられた塵埃は、第２回転ブラシ２６のブラシ部４９に衝突して吸込口体６Ａの後方へ案内される。したがって、第１回転ブラシ２５の回転によって被掃除面から掻きあげられた塵埃は、第２回転ブラシ２６によって回転清掃体室２８の後方へ向かって送り込まれ、回転清掃体室２８から接続管２１の接続開口２１ａへ向かって吸い込まれる空気の流れに逆らうことなく、効率よく接続管２１に吸い込まれる。
【０１２１】
接続管２１に吸い込まれた塵埃は、吸込口体６Ａから延長管５および集塵ホース３を順次に通過して、掃除機本体２の接続口２ａへと導かれ、掃除機本体２内に収容された集塵袋１１に捕集される。
【０１２２】
塵埃が捕集された空気は、電動送風機７に吸気されて排気風となり、掃除機本体２の排気口（図示省略）から外部に排気される。
【０１２３】
本実施形態に係る電気掃除機１Ａの吸込口体６Ａによれば、第２回転ブラシ２６は、床面などの被掃除面に接地することなく、第１回転ブラシ２５にも衝突せず、上蓋体２３Ａに形成された開口５７から吸い込まれる空気によって常に図９に示された実線矢ωの方向へ回転する。したがって、第２回転ブラシ２６は、第１回転ブラシ２５の回転方向によらず、第１回転ブラシ２５によって被掃除面から掻きあげられた塵埃を接続開口２１ａの方向へ向かって送り込むので、第１回転ブラシ２５の回転によって被掃除面から掻きあげられた塵埃を、効率よく確実に接続管２１へ案内し、回転清掃体室２８内に塵埃を滞留させることなく掃除することができる。
【０１２４】
電気掃除機１、１Ａとしては、キャニスタ型の電気掃除機に限らず、吸込口体６、６Ａが掃除機本体２の下面に直接形成されたアップライト型、あるいは、ハンディ型などの電気掃除機であっても対応させて用いることができる。
【図面の簡単な説明】
【０１２５】
【図１】本発明の第１実施形態に係る電気掃除機の外観を示した図。
【図２】本発明の第１実施形態に係る電気掃除機の吸込口体を示した平面図。
【図３】本発明の第１実施形態に係る電気掃除機の吸込口体を示した斜視図。
【図４】本発明の第１実施形態に係る電気掃除機の吸込口体を示した平断面図。
【図５】本発明の第１実施形態に係る電気掃除機の吸込口体を示した縦断面図。
【図６】本発明の第１実施形態に係る電気掃除機の吸込口体を示した縦断面図。
【図７】本発明の第１実施形態に係る電気掃除機の吸込口体を示した縦断面図。
【図８】本発明の第１実施形態に係る電気掃除機の吸込口体を示した縦断面図。
【図９】本発明の第２実施形態に係る電気掃除機の吸込口体を示した縦断面図。
【符号の説明】
【０１２６】
１  電気掃除機
２  掃除機本体
２ａ  接続口
３  集塵ホース
４  手元操作管
４ａ  操作部
４ｂ  切スイッチ
４ｃ  強弱スイッチ
５  延長管
６、６Ａ  吸込口体
７  電動送風機
８  電源コード
１０  集塵室
１１  集塵袋
１３  蓋体
１５  握り部
１５ａ  設定ボタン
２０、２０Ａ  本体ケース
２１  接続管
２１ａ  接続開口
２２  上ケース
２３、２３Ａ  上蓋体
２４  下ケース
２５  第１回転ブラシ
２６  第２回転ブラシ
２８  回転清掃体室
３０  吸込口
３２  下壁部
３２ａ  右区画リブ
３２ｂ  左区画リブ
３２ｃ、３２ｄ  切り欠き
３２ｅ  右後区画リブ
３２ｆ  左後区画リブ
３３  軸受け
３４、３５  軸支室
３７  モータ
３８  駆動部室
４０  回転ブラシプーリ
４１  ベルト
４２  回転ブラシプーリ
４３  ベルト
４４  回転ブラシプーリ
４６  回転ブラシ軸体
４７、４７Ａ  ブラシ部
４８、４８Ａ  ブレード部
４９  ブラシ部
５１  モータ軸プーリ
５２  制御部
５３  制御部室
【図１】
2009160009.tif 000003
【図２】
2009160009.tif 000004
【図３】
2009160009.tif 000005
【図４】
2009160009.tif 000006
【図５】
2009160009.tif 000007
【図６】
2009160009.tif 000008
【図７】
2009160009.tif 000009
【図８】
2009160009.tif 000010
【図９】
2009160009.tif 000011